(57)【要約】【課題】認識機能を削除して装置の小型化および低コスト化を実現しつつ、現金事故等でカセットを着脱しても、継続して運用可能となる現金自動取引装置を提供する。【解決手段】制御部は、出金用カセットが装置本体に装填された際（Ｓ２００、Ｙｅｓ）、識別コード（シリアルＩＤ）が同じであると判断した場合には（Ｓ２４０、Ｎｏ）、有高カウンタに設定された有高をクリアせず（Ｓ２６０）、識別コードが異なると判断した場合には（Ｓ２４０、Ｙｅｓ）、有高カウンタに予め定められた有高を設定するように制御する（Ｓ２５０）。【選択図】図４
2008197979.tif 000002
【特許請求の範囲】
【請求項１】
貨幣を金種別に収容し、予め決められた枚数の貨幣を収納する出金用カセットと、
前記出金用カセットに収納されている有高を設定する有高カウンタと、を備え、
前記出金用カセットから指定された額の貨幣が払い出されたときに、前記有高カウンタから前記額に応じた有高を減算して新たな有高を前記有高カウンタに設定する制御部を有する現金自動取引装置であって、
前記出金用カセットは、少なくとも、出金用カセットを個体識別する識別コードが予め付与された認証部をさらに備え、
前記制御部は、前記出金用カセットを装置本体に装填した際、前記識別コードが同じであると判断した場合には、前記有高カウンタに設定された有高をクリアせず、前記識別コードが異なると判断した場合には、前記有高カウンタに予め定められた有高を設定することを特徴とする現金自動取引装置。
【請求項２】
前記出金用カセットには、貨幣の出し入れを行う開閉扉が設けられるとともに、前記開閉扉が開閉されたことがあることを検知する扉開閉検出部が設けられ、
前記制御部は、前記識別コードが同じであると判断したときに、前記扉開閉検出部により前記開閉扉が開閉された形跡があったと判断した場合には、前記識別コードが同じであっても前記有高カウンタに予め定められた有高を設定することを特徴とする請求項１に記載の現金自動取引装置。
【発明の詳細な説明】
【技術分野】
【０００１】
本発明は、２４時間稼動の店舗など様々な場所に設置される現金自動取引装置に関する。
【背景技術】
【０００２】
従来、現金自動取引装置では、カセットを用いて、取引用準備金を装置外から装置内へカセットごと現金を収納し、その内部に存在する貨幣を、装置が装備している認識・計数機能を用いて１枚ずつ判別計数することで、装置内の現金有高を確定させ、取引運用へ備えるようにすることが一般的に行われている。
【０００３】
また、このような現金自動取引装置は、任意の時点において、装置内へ装填されたカセット内の現金を、装備している認識・計数機能を用いて計数する機能（自動精査機能と呼ぶ）により再計数を行い、制御部が運用上保持している装填金額と実際に装置内に存在する金額とを一致させる手段を備えている。この手段を備えることで、例えば、取引中に何らかの現金事故が発生し、カセットを装置に着脱する際に、事故前に運用していたカセットとは別のカセットを取り付けることになったとしても、カセットの装填時に自動精査を実施することで、装置内の貨幣の有高を再計数して有高を確定させ、継続して運用することができる（特許文献１参照）。
【特許文献１】特開平７−１２９８１９号公報（段落０００５）
【発明の開示】
【発明が解決しようとする課題】
【０００４】
しかしながら、近年、コンビニエンスストアなどの狭い空間に現金自動取引装置を設置するケースが増えていることから、現金自動取引装置に対して従来の機能や性能を保持しつつ小型化や低コスト化の要求が高まっている。
【０００５】
そこで、機能を出金専用に限定し、入金された貨幣を識別するための認識機能を削除することで、省スペース化および低コスト化を達成することが提案されている。出金専用であれば、運用前に予め計数、装填した現金から出金するだけであり、制御部から指示された金種を指示された金額分出金できればよいため、認識機能を不要にすることができる。
【０００６】
しかしながら、上記のようにして認識機能を削除すると、自動精査機能を有していないため、再計数を行って現金有高を確定させることができない。したがって、現金事故発生時に一旦カセットを外すことを考慮して、その後の運用に使用するカセットは事故前から使用していたカセットであるか、それとも新たに用意した計数済カセットであるかを予め取り決めておく必要が生じることとなった。つまり、カセット継続使用が前提条件である場合には、現金有高については変更を加えないようにする必要があり、計数済カセット使用が前提条件である場合には、カセット装填時にカウンタを常にクリアし、予め決められた現金有高を設定する必要が生じるという課題があった。
【０００７】
例えば、事故内容がカセットの内部に起因するものであった場合には、復旧にカセットの交換が必須となるので予め決めておいた運用との間で食い違いが発生する可能性があり、また、原因がカセットでなく、カセットの外部で生じたものである場合には、運用が計数装填済カセットの使用が必須であった場合には、事故処理において必ずカセットを用意することになり、非常に負担の大きい運用となってしまうことが予想されていた。
【０００８】
本発明は、前記従来の課題を解決するものであり、認識機能を削除して装置の小型化および低コスト化を実現しつつ、現金事故等で出金用カセットを脱着したとしても、継続して運用可能となる現金自動取引装置を提供することを目的とする。
【課題を解決するための手段】
【０００９】
本発明は、貨幣を金種別に収容し、予め決められた枚数の貨幣を収納する出金用カセットと、前記出金用カセットに収納されている有高を設定する有高カウンタと、を備え、前記出金用カセットから指定された額の貨幣が払い出されたときに、前記有高カウンタから前記額に応じた有高を減算して新たな有高を前記有高カウンタに設定する制御部を有する現金自動取引装置であって、前記出金用カセットは、少なくとも、出金用カセットを個体識別する識別コードが予め付与された認証部をさらに備え、前記制御部は、前記出金用カセットを装置本体に装填した際、前記識別コードが同じであると判断した場合には、前記有高カウンタに設定された有高をクリアせず、前記識別コードが異なると判断した場合には、前記有高カウンタに予め定められた有高を設定することを特徴とする。
【発明の効果】
【００１０】
本発明によれば、各出金用カセットに個体識別する識別コードを付与することで、交換前後の出金用カセットの同一性を確認することができるので、有高カウンタに設定された有高を継続使用するか否かの判断が可能になる。さらに、交換する出金用カセットは計数済のものとすることを予め取り決めておくことで、装置本体内に認識機能を装備していなくても現金事故に起因した出金用カセットの脱着による運用中断を防止できる。
【発明を実施するための最良の形態】
【００１１】
（第１実施形態）
図１は第１実施形態の現金自動取引装置の外観を示す斜視図、図２は第１実施形態の現金自動取引装置を示すブロック図、図３は第１実施形態の現金自動取引装置における出金時の制御を示すフローチャート、図４は第１実施形態の現金自動取引装置における出金用カセット交換時の制御を示すフローチャートである。なお、本実施形態における現金自動取引装置１Ａは、コンビニエンスストア、スーパーマーケット、駅、金融機関の無人店舗などに設置されるものであり、出金専用として用いられるものである。
【００１２】
図１に示すように、本実施形態の現金自動取引装置１Ａは、筐体としての装置本体２に、表示入力部３、出金口４、カード情報読取部５、印字部６などが設けられ、装置本体２内に、複数の出金用カセット１０Ａ，１０Ｂが着脱可能に収容されるように設けられている。なお、以下の説明では、２種類の出金用カセット１０Ａ，１０Ｂを図示して説明するが、これに限定されるものではなく、１種類であっても、３種類以上であってもよい。また、出金用カセット１０Ａ，１０Ｂに収納される貨幣の金種は、五百円や百円などの硬貨のみであってもよく、千円、一万円などの紙幣のみであってもよく、あるいは硬貨と紙幣の混在であってもよい。以下の説明では、五百円と百円の硬貨の場合を例に挙げて説明する。
【００１３】
前記表示入力部３は、例えば、タッチパネル式のものであり、利用者（出金を行う者）が表示されたメニュー画面にしたがって画面をタッチしながら入力操作を進めることで、出金操作を行うことができるようになっている。
【００１４】
前記出金口４は、払い出された貨幣を取り出す開口部４ａを有し、その開口部４ａにアクチュエータ（図示せず）などで駆動して開閉するシャッタ４ｂが設けられている。また、出金口４の内部には、利用者が貨幣を取り出したことを確認するセンサ（図示せず）などが設けられている。なお、本実施形態の出金口４は、紙幣と硬貨とを取り扱う場合には、内部に設けられた仕切板（図示せず）を介して紙幣と硬貨とを同じ開口部４ａから取り出すようにしてもよく、紙幣と硬貨の出金口を別々に設けてそれぞれの出金口から取り出すようにしてもよい。
【００１５】
前記カード情報読取部５は、顧客情報などが記録された取引カードを受け入れまたは排出するスリット状の挿入部５ａを有し、挿入された取引カードに記録されたデータの読み出しや書き込みを行うようになっている。
【００１６】
前記印字部６は、出金額などの取引内容が印字された明細票などを取り出すスリット状の排出部６ａを有し、感熱紙からなる明細票を用いて、熱転写式のプリンタで印字するように構成されている。なお、本実施形態では、カード情報読取部５の挿入部５ａと印字部６の排出部６ａとを幅方向に間隔を開けて配置したが、挿入部５ａと排出部６ａとを上下に近づけて配置して、利用者が排出された取引カードと明細票とを一緒に抜き出すことができる構成にしてもよい。
【００１７】
前記出金用カセット１０Ａ，１０Ｂは、予め決められた枚数の硬貨を収納可能な箱型の収容部１０ａ，１０ｂおよび硬貨を収容する際に開閉される開閉扉１０ａ１，１０ｂ１を有し、所定の位置に認証部１１ａ，１１ｂが設けられている。この認証部１１ａ，１１ｂは、それぞれの出金用カセット１０Ａ，１０Ｂを個体識別するためのシリアルＩＤ（識別コード）と金種（五百円、百円）のデータが電気的手段によって書き込まれている。なお、認証部１１ａ，１１ｂは、防犯上の理由から、書き換えができない種類のメモリで構成されている。
【００１８】
また、出金用カセット１０Ａ，１０Ｂは、装置本体２内に設けられた所定のストッカ１２ａ，１２ｂに装填されると、装置本体２内のストッカ１２ａ，１２ｂの近傍に設けられた読取部１３ａ，１３ｂが、出金用カセット１０Ａ，１０Ｂの認証部１１ａ，１１ｂと接続され、出金用カセット１０Ａ，１０ＢのそれぞれのシリアルＩＤと金種とが読み込まれるように構成されている。
【００１９】
図２に示すように、現金自動取引装置１Ａは、制御部２０を有し、この制御部２０が、前記した表示入力部３、カード情報読取部５、印字部６、読取部１３ａ，１３ｂと接続されるとともに、種別記録部１４、有高カウンタ１５、端末通信部１６が接続されるように構成されている。
【００２０】
前記制御部２０は、ＣＰＵ（Ｃｅｎｔｒａｌ  Ｐｒｏｃｅｓｓｉｎｇ  Ｕｎｉｔ）、メモリなどからなるコンピュータおよびプログラムによって機能するように構成されている。
【００２１】
前記種別記録部１４は、書き換え可能なメモリなどで構成され、装置本体２に装填されている、出金用カセット１０Ａ，１０Ｂの認証部１１ａ，１１ｂに記録されたシリアルＩＤ（識別コード）および金種が記録される。すなわち、この種別記録部１４には、ストッカ１２ａに収容された出金用カセット１０Ａに設定されているシリアルＩＤおよび金種（五百円）と、ストッカ１２ｂに収容された出金用カセット１０Ｂに設定されているシリアルＩＤおよび金種（百円）とがそれぞれ記録される。なお、シリアルＩＤとは、各出金用カセット１０Ａ，１０Ｂごとに個別に設定される固有の識別子（識別コード）である。
【００２２】
前記有高カウンタ１５は、書き換え可能なメモリなどで構成され、装置本体２に装填されている、出金用カセット１０Ａ，１０Ｂに収容されている硬貨の枚数および金額が記録される。すなわち、有高カウンタ１５には、出金用カセット１０Ａに収容されている硬貨の枚数および金額、出金用カセット１０Ｂに収容されている硬貨の枚数および金額が記録される。例えば、出金用カセット１０Ａから五百円が１枚出金され、出金用カセット１０Ｂから百円が１枚出金された場合には、有高カウンタ１５に記録された五百円の現在の枚数から１枚を減算した枚数を新たに記録し、有高カウンタ１５に記録された百円の枚数から１枚を減算した枚数を新たに記録する。なお、出金用カセット１０Ａおよび出金用カセット１０Ｂに収容されている硬貨の合計金額も記録されるようにしてもよい。
【００２３】
前記端末通信部１６は、ネットワーク３０を介して管理センタ４０と通信するための機能を有している。例えば、出金用カセット１０Ａ，１０Ｂに収められている硬貨の枚数がニアエンド枚数に到達したときに、管理センタ４０へ通知され、係員が速やかに計数装填済の出金用カセット１０Ａ，１０Ｂと交換するようにシステムが構成されている。なお、ニアエンド枚数とは、エンド枚数に到達する前に設定される枚数であり、例えば、係員が装置の設置店舗に到着する前にエンド枚数に到達して利用者が出金取引を継続できなくならない枚数に設定される。
【００２４】
次に、本実施形態の現金自動取引装置１Ａにおける出金操作時の制御について図３を参照（適宜、図１および図２を参照）しながら説明する。
まず、利用者が現金自動取引装置１Ａのカード情報読取部５の挿入部５ａに取引カードを挿入すると、制御部２０は、取引カードに挿入された顧客情報を読み込み、表示入力部３に暗証番号の入力画面に続いて金額入力画面を表示する。そして、利用者が表示入力部３を介して暗証番号や出金金額を入力すると、制御部２０は、出金指示があったと判断して（Ｓ１００、Ｙｅｓ）、ステップＳ１１０に進み、利用者によって指定された出金金額の払出しを行う。なお、出金指示がないと判断した場合には（Ｓ１００、Ｎｏ）、ステップＳ１００の処理を繰り返す。
【００２５】
ステップＳ１１０において、制御部２０は、指定された出金金額に基づいて、払出しに必要となる硬貨、つまり出金用カセット１０Ａに収容された硬貨（五百円）の枚数と、出金用カセット１０Ｂに収容された硬貨（百円）の枚数とを算出し、図示しない搬送手段を駆動して、硬貨を１枚ずつ出金口４へ払い出す。
【００２６】
そして、ステップＳ１２０に進み、制御部２０は、有高カウンタ１５から払い出した当該枚数および金額を減算する。すなわち、制御部２０は、有高カウンタ１５に設定された枚数から払い出した硬貨の枚数を減算するとともに、有高カウンタ１５に設定された金額から払い出した金額を減算する。
【００２７】
そして、ステップＳ１３０に進み、制御部２０は、出金が完了したか否かを判断する。ステップＳ１３０において、制御部２０は、有高カウンタ１５を参照して、指定された出金額に到達していないと判断した場合には（Ｎｏ）、ステップＳ１１０に戻り、払出しを継続する。また、制御部２０は、有高カウンタ１５を参照して、算出された枚数および金額に到達したと判断した場合には（Ｓ１３０、Ｙｅｓ）、出金が完了したと判断して、ステップＳ１４０に進む。なお、制御部２０は、出金が完了すると、出金口４のシャッタ４ｂを開き、利用者が硬貨を出金口４から取り除くと、取り除いたことを図示しない検知手段で検知して、シャッタ４ｂを閉じる。
【００２８】
ステップＳ１４０において、制御部２０は、出金用カセット１０Ａ，１０Ｂに収容されている硬貨の出金完了後（Ｓ１３０、ＹＥＳ）の枚数がニアエンド枚数に到達しているか否かを判断する。この場合、制御部２０は、出金後の枚数がニアエンド枚数に到達していないと判断した場合には（Ｓ１４０、Ｎｏ）、ステップＳ１００に戻り、次回の出金処理に備える。また、制御部２０は、出金後の枚数がニアエンド枚数に到達したと判断した場合には（Ｓ１４０、Ｙｅｓ）、ステップＳ１５０に進み、出金用カセット１０Ａ，１０Ｂに収められている硬貨が不足して出金取引が継続できなくなるおそれが生じる旨の信号を管理センタ４０に通知する。このとき、制御部２０は、端末通信部１６によって前記信号を所定のプロトコルに変換し、ネットワーク３０を介して管理センタ４０に送信する。この信号を受信した管理センタ４０では、店舗の位置や硬貨が不足している出金用カセット１０Ａ，１０Ｂを特定して、係員が直ちに設置店舗に急行する。
【００２９】
次に、本実施形態の現金自動取引装置１Ａにおける出金用カセット１０Ａ，１０Ｂの交換時の制御について図４を参照しながら説明する。なお、以下では、五百円の硬貨が収容された出金用カセット１０Ａを取り外して新たな出金用カセット１０Ａ（以下、１０Ａ１とする）を装填する場合を例に挙げて説明する。なお、交換前の出金用カセット１０Ａと交換後の出金用カセット１０Ａ１とは、金種は五百円で同一であるが、シリアルＩＤが異なっている。また、新たな出金用カセット１０Ａ１には、運用上予め決められた枚数および金額の五百円の金種の硬貨が収められているものとする。
【００３０】
まず、ステップＳ２００において、制御部２０は、出金用カセット１０Ａがストッカ１２ａから取り外されて、空になったストッカ１２ａに出金用カセット１０Ａ１が新たに装填されたと判断した場合には（Ｙｅｓ）、ステップＳ２１０に進み、出金用カセット１０Ａ１の認証部１１ａから読取部１３ａを介して、出金用カセット１０Ａ１に設定されているシリアルＩＤおよび金種（五百円）を読み込む。なお、新たな出金用カセット１０Ａ１が装填されたか否かは、図示しない検出手段を介して検出されるようになっている。なお、ステップＳ２００において、制御部２０は、新たな出金用カセット１０Ａ１が装填されていないと判断した場合には（Ｎｏ）、ステップＳ２００の処理を繰り返す。
【００３１】
そして、ステップＳ２２０に進み、制御部２０は、交換前の出金用カセット１０Ａの金種と交換後の出金用カセット１０Ａ１の金種とが異なっているか否かを判断する。もしこのとき、制御部２０は、金種が異なっていると判断した場合には（Ｓ２２０、Ｙｅｓ）、ステップＳ２３０に進み、係員に認識できるようにエラーを通知する。エラーの通知手段としては、音声やランプなど各種の公知の手段を用いて構成できる。そして、制御部２０は、リターンして、元のルーチンに戻る。
【００３２】
また、ステップＳ２２０において、制御部２０は、金種が同一であると判断した場合には（Ｎｏ）、ステップＳ２４０に進み、交換前の出金用カセット１０ＡのシリアルＩＤと交換後の出金用カセット１０Ａ１のシリアルＩＤとが異なっているか否かを判断する。この場合、制御部２０は、シリアルＩＤが異なっていると判断した場合には（Ｓ２４０、Ｙｅｓ）、新たな計数済の出金用カセット１０Ａ１が装填されたと判断して、ステップＳ２５０に進み、有高カウンタ１５に、規定の枚数と金額を設定する。規定の枚数とは、新たな出金用カセット１０Ａ１に収容されている運用上予め決められた枚数であり、規定の金額とは、その枚数に応じた運用上予め決められた金額である。つまり、シリアルＩＤの異なる新たな出金用カセット１０Ａ１が装填された場合には、予め決められた枚数および金額の有高が有高カウンタ１５に設定されるようになっている。
【００３３】
なお、ステップＳ２４０において、制御部２０は、シリアルＩＤが同一であると判断した場合には（Ｎｏ）、出金用カセット１０Ａが取り外されたが再び同じ出金用カセット１０Ａが装填されたと判断して、ステップＳ２６０に進み、有高カウンタ１５について、そのとき設定されている枚数および金額の有高をクリアせず、そのまま継続して運用する。シリアルＩＤが同じになる場合とは、例えば、硬貨の不足による出金用カセット１０Ａ，１０Ａ１の交換ではなく、出金用カセット１０Ａなどに不具合が発生して係員がその不具合を取り除く処理を行った場合である。
【００３４】
このように、出金用カセット１０Ａ，１０Ａ１に個体識別するためのシリアルＩＤと金種を予め書き込んでおき、これを認証キーとすることで、着脱前後の出金用カセット１０Ａ，１０Ａ１の同一性を確認することができる。その結果、有高カウンタ１５をクリアするか、有高カウンタ１５をクリアせず継続運用するかの判断が可能となる。さらに、予め新たな出金用カセット１０Ａ１の運用を計数済のものであると取り決めておくことで、現金自動取引装置１Ａ内に再計数を行うための機能を装備していなくても、現金事故に起因した出金用カセット１０Ａ，１０Ａ１の着脱による運用の中断を防止することが可能になる。これにより、係員が出動時に、毎回計数済の出金用カセット１０Ａ１を運搬する必要がなくなる。また、出金用カセット１０Ａ，１０Ｂ，１０Ａ１について、形状が全く同じで、外部から判別できない場合には、運用中に一旦外した出金用カセット１０Ａが混在してしまうことが考えられる。しかし、本実施形態では、混在した出金用カセット１０Ａが別に取り外した出金用カセット１０Ｂなどと判別できなくなったとして、計数済の新たな出金用カセット１０Ａ１を装填することで、運用を継続することができるようになる。
【００３５】
また、第１実施形態の現金自動取引装置１Ａによれば、出金用カセット１０Ａ，１０Ａ１，１０Ｂに個体識別するためのシリアルＩＤが書き込まれた認証部１１ａ，１１ｂを設けるとともに、新たな出金用カセット１０Ａ１を装填する場合には予め取り決めておいた枚数および金額の有高を有高カウンタ１５に設定するという条件を用いることにより、自動精査機能などの識別機能を削除することができるので、装置の小型化および低コスト化を図ることが可能になる。
【００３６】
（第２実施形態）
図５は第２実施形態の現金自動取引装置の外観を示す斜視図、図６は第２実施形態の現金自動取引装置を示すブロック図、図７は第２実施形態の現金自動取引装置におけるカセット交換時の制御を示すフローチャートである。なお、第１実施形態と同様の構成については、同一の符号を付してその説明を省略する。また、出金時の処理については、第１実施形態での処理（図３参照）と同様であるのでその説明を省略する。
【００３７】
図５に示すように、第２実施形態の現金自動取引装置１Ｂは、出金用カセット１０Ａ，１０Ｂに硬貨の出し入れが行われる開閉扉１０ａ１，１０ｂ１が設けられるとともに、この開閉扉１０ａ１，１０ｂ１の開閉操作（開閉されたことがあること）を検知する扉開閉検出部１７ａ，１７ｂが設けられている。なお、この開閉扉１０ａ１，１０ｂ１は、出金用カセット１０Ａ，１０Ｂの収容部１０ａ，１０ｂ内に硬貨を収容する際に開かれ、収容後に閉じられるものである。
【００３８】
前記扉開閉検出部１７ａ，１７ｂは、開閉扉１０ａ１，１０ｂ１が開閉されたことを検知できるものであればその構成は特に限定されるものではなく、例えば、ラッチングリレーを用いて構成することができる。このラッチングリレーは、２つの安定状態を持つリレーであり、出金用カセット１０Ａ，１０Ｂが装置本体２内に収容されているときにおいて、開閉扉１０ａ１，１０ｂ１が開閉されたときに一方の安定状態からもう一方の安定状態に切り替わるようになっている。なお、以下の説明では、開閉扉１０ａ１，１０ｂ１が開閉されたことがない場合の状態を第１の状態、開閉扉１０ａ１，１０ｂ１が開閉されたことがある場合の状態を第２の状態とする。
【００３９】
また、前記装置本体２には、ストッカ１２ａ，１２ｂ内に扉開閉検出部１７ａ，１７ｂと接続される読取部１４ａ，１４ｂが設けられている。この読取部１４ａ，１４ｂは、扉開閉検出部１７ａ，１７ｂが第１の状態であるか第２の状態であるかを検知できるようになっている。
【００４０】
図６に示すように、第２実施形態の現金自動取引装置１Ｂでは、制御部２０が、扉開閉履歴部１８と接続されている。この扉開閉履歴部１８は、書き換え可能なメモリなどで構成され、読取部１４ａ，１４ｂを介して、扉開閉検出部１７ａ，１７ｂが第１の状態（開閉されたことがない状態）であるか、第２の状態（開閉されたことがある状態）であるかを記録する。
【００４１】
次に、第２実施形態の現金自動取引装置１Ｂにおいて、管理センタ４０への通知を受けた場合の出金用カセット１０Ａの交換処理について図７を参照しながら説明する。第２実施形態における出金用カセット１０Ａの交換処理は、第１実施形態における交換処理（図４参照）に、ステップＳ２４５のみを追加したものである。以下では、ステップＳ２４０以降のステップのみについて説明する。
【００４２】
すなわち、ステップＳ２４０において、制御部２０は、交換前の出金用カセット１０Ａに設定されているシリアルＩＤと交換後の出金用カセット１０Ａ１に設定されているシリアルＩＤとが同一であると判断した場合には（Ｎｏ）、ステップＳ２４５に進み、開閉扉１０ａ１，１０ｂ１に開閉の形跡があるか否かを判断する。この開閉の形跡の有無は、扉開閉履歴部１８に記録されている情報が、第１の状態であるか第２の状態であるかによって判断する。
【００４３】
ステップＳ２４５において、制御部２０は、扉開閉履歴部１８に第１の状態が記録されており、開閉扉１０ａ１，１０ｂ１に開閉の形跡がないと判断した場合には（Ｎｏ）、ステップＳ２６０に進み、有高カウンタ１５に設定されている有高をクリアせず、そのまま継続運用する。また、制御部２０は、扉開閉履歴部１８に第２の状態が記録されており、開閉扉１０ａ１，１０ｂ１に開閉の形跡があると判断した場合には（Ｙｅｓ）、ステップＳ２５０に進み、有高カウンタ１５に規定の枚数と金額を設定する。
【００４４】
ところで、係員は、操作により出金用カセット１０Ａ，１０Ｂ内の硬貨のすべてまたは一部を取り出すことが可能な立場にある。前記したようにステップＳ２４５の処理を備えることにより、後で、計数不一致が発生した場合、出金用カセット１０Ａ，１０Ｂの操作の有無（少なくとも開閉扉１０ａ１，１０ｂ１を開閉したか否か＝硬貨（貨幣）に触れることができたか否か）を追跡できるようになる。もし仮に、制御部２０は、開閉の形跡があると判断した場合（Ｓ２４５、Ｙｅｓ）、有高カウンタ１５をクリアせずにそのまま運用を継続すると、有高が一致していた場合には硬貨に触れることができたにも拘わらず開閉の形跡が見過ごされ、または開閉の形跡が判明したとしてもその判明に時間がかかる問題がある。本実施形態のように、開閉の形跡があったと判断されたときに（Ｓ２４５、Ｙｅｓ）、有高カウンタ１５をクリアして規定の枚数と金額を設定することにより、現実の有高は別にして、その後早くに計数不一致が判明して、出金用カセット１０Ａ，１０Ｂの操作の有無を追跡することができるようになる。したがって、その後の迅速な対応が可能になる。
【００４５】
なお、前記した各実施形態では、シリアルＩＤを電気的に書き込んだものを読み取って認証するものを例に挙げて説明したが、これに限定されるものではなく、例えば、電気的なものに替えて、バーコードのような視覚的なものに置き換え、装置本体２内に設けられた赤外線バーコードリーダのような光学手段で読み取り、認証させるようにしてもよい。
【図面の簡単な説明】
【００４６】
【図１】第１実施形態の現金自動取引装置の外観を示す斜視図である。
【図２】第１実施形態の現金自動取引装置を示すブロック図である。
【図３】第１実施形態の現金自動取引装置における出金時の制御を示すフローチャートである。
【図４】第１実施形態の現金自動取引装置における出金用カセット交換時の制御を示すフローチャートである。
【図５】第２実施形態の現金自動取引装置の外観を示す斜視図である。
【図６】第２実施形態の現金自動取引装置を示すブロック図である。
【図７】第２実施形態の現金自動取引装置におけるカセット交換時の制御を示すフローチャートである。
【符号の説明】
【００４７】
１Ａ，１Ｂ  現金自動取引装置
２      装置本体
１０Ａ，１０Ｂ  出金用カセット
１０ａ１，１０ｂ１  開閉扉
１１ａ，１１ｂ  認証部
１５    有高カウンタ
１７ａ，１７ｂ  扉開閉検出部
２０    制御部
【図１】
2008197979.tif 000003
【図２】
2008197979.tif 000004
【図３】
2008197979.tif 000005
【図４】
2008197979.tif 000006
【図５】
2008197979.tif 000007
【図６】
2008197979.tif 000008
【図７】
2008197979.tif 000009